(57)【要約】【課題】棟構造における熨斗瓦を固定するための構成の軽量化を図ることができるうえに、その施工を熟練を要することなく容易に且つ安価に行うことができ、しかも、上記熨斗瓦の固定にあたって、該熨斗瓦を熨斗下地材に螺着固定することにより、大きな地震などが発生したときに該熨斗瓦が熨斗下地材から脱落することがなく、耐震性にも配慮した熨斗下地材及びそれを用いた棟構造を提供する。【解決手段】熨斗下地材２は、発泡合成樹脂からなる断面形状が一定の長尺材により形成され、躯体への固定に供する中央の基部２Ａと、基部２Ａの長手方向に沿う両側部から外方に延設された翼部２Ｂとを備える。両翼部２Ｂの上面に、それぞれ上記熨斗瓦８を螺着固定するための固定面２ｃを形成する。【選択図】図２
2008156896.tif 000002
【特許請求の範囲】
【請求項１】
２つの屋根面が相交わる棟部に列設された桟瓦上に、少なくとも一対の熨斗瓦を配置するための熨斗下地材であって、
上記熨斗下地材は、発泡合成樹脂からなる断面形状が一定の長尺材により形成され、躯体への固定に供する中央の略板状の基部と、該基部の長手方向に沿う両側部から外方に延設された翼部とを備え、
上記両翼部の上面に、それぞれ上記熨斗瓦を螺着固定するための該熨斗瓦数に対応する固定面を形成した、
ことを特徴とする熨斗下地材。
【請求項２】
上記両翼部に、複数段に熨斗瓦を固定するための複数の固定面を、外側が低くなる階段状に形成した、
ことを特徴とする請求項１に記載の熨斗下地材。
【請求項３】
上記翼部における熨斗瓦の固定面の内側に、該熨斗瓦における上記熨斗下地材に螺着固定する縁辺に形成した係合突条を係合させる凹溝を形成した、
ことを特徴とする請求項１または２に記載の熨斗下地材。
【請求項４】
請求項１〜３のいずれかに記載の熨斗下地材を用いた棟構造であって、
棟部の中央に沿って棟金具により架設され、上記熨斗下地材の基部を載置固定するための棟垂木；
上記棟垂木と熨斗下地材との間に介装され、棟部に近接して列設された桟瓦の上面に先端を接着した補強シートにより部分補強された通気性ある不織布シート；
上記熨斗下地材の固定面に螺着固定された少なくとも一対の熨斗瓦；
最上層の熨斗瓦上に載架固定された冠瓦；
を備える、
ことを特徴とする棟構造。
【請求項５】
熨斗下地材上に第２の棟垂木を配設固定し、この第２の棟垂木上に最上層の熨斗瓦を固定し、その上に冠瓦を載架固定した、
ことを特徴とする請求項４に記載の棟構造。
【発明の詳細な説明】
【技術分野】
【０００１】
本発明は、主として２つの屋根面が相交わる棟部に列設された桟瓦上に、少なくとも一対の熨斗瓦を配置するとともに、最上層の該熨斗瓦上に冠瓦を載置固定してなる棟構造を対象とし、該熨斗瓦を固定するための熨斗下地材と、該熨斗下地材を用いた棟構造に関するものである。
【背景技術】
【０００２】
一般に、和形瓦による瓦屋根構造を持つ建築物の棟構造において、２つの屋根面が相交わる棟部に列設された桟瓦上に、一対ないし複数対の熨斗瓦を配置する場合には、該熨斗瓦の固定のために練土あるいは南蛮漆喰等の接着部材による固定手段が従来より広く用いられている。しかしながら、上記接着部材による固定手段は、該接着部材を所定の形状に造形して熨斗瓦を緊結固定する必要があり、その施工が極めて繁雑で、熟練工の作業を以てしても長い施工時間を要し、結果的に施工にかかるコストが高くなってしまうという問題点がある。そのうえ、上記棟部の内部に充填される接着部材によって外部との通気が阻隔されるため、太陽光等で熱せられた屋根裏との通気性が確保できず、その結果、建築物内部の温度及び湿度の管理が困難になり、該建築物の居住性が著しく損なわれるばかりでなく、該建築物を構成する各構成材の耐用年数を寡少化してしまう虞がある。しかも、練土や南蛮漆喰等の接着部材は極めて重量が重く、それを多量に棟部に充填することは、該屋根面の重量過多を招くことになり、建築物自体の耐震性に影響を及ぼす可能性も否定できない。
【０００３】
上述のような問題点を解決するものとして、特許文献１には、熨斗瓦の固定に上記接着部材を使用することなく、固定部材を用いて熨斗瓦を固定する技術について開示されているが、同文献における熨斗瓦の固定部材は、該固定部材の板状脚部に設けた掛止部に熨斗瓦の係合突起を係合させた状態で上方から冠瓦を載置し、その冠瓦を棟垂木に釘着することによって、上記熨斗瓦を含めた棟構造全体を支持させるようにしているため、大きな地震が発生した場合などに、その地震動に伴って上記熨斗瓦の固定が容易に解放されてしまい、その結果、棟構造全体が容易に損壊してしまい、延いては建築物自体に重大な損傷を与える虞がある。
【特許文献１】特開２０００−１７０３２６号公報
【発明の開示】
【発明が解決しようとする課題】
【０００４】
如上に鑑みて、本発明の技術的課題は、上記熨斗下地材を発泡性の合成樹脂からなる長尺材で形成することにより、棟構造における熨斗瓦を固定するための構成の軽量化を図ることができるうえに、その施工を熟練を要することなく容易に且つ安価に行うことができ、しかも、上記熨斗瓦の固定にあたって、該熨斗瓦を熨斗下地材に螺着固定することにより、大きな地震などが発生したときに該熨斗瓦が熨斗下地材から脱落することがなく、耐震性にも配慮した熨斗下地材と、該熨斗下地材を用いた棟構造を提供することにある。
本発明の他の技術的課題は、上記熨斗下地材を用いた棟構造において、上記棟垂木と熨斗下地材との間に補強シートにより部分補強された通気性ある不織布シートを介装することにより、棟部の内部への雨水等の浸入を良好に抑止しながらも、該棟部内部との通気性を確保し、延いては、建築物の居住性を向上させるとともに、該建築物の耐用年数を向上させることにある。
【課題を解決するための手段】
【０００５】
上記課題を解決するため、本発明の熨斗下地材は、２つの屋根面が相交わる棟部に列設された桟瓦上に、少なくとも一対の熨斗瓦を配置するための熨斗下地材であって、上記熨斗下地材は、発泡合成樹脂からなる断面形状が一定の長尺材により形成され、躯体への固定に供する中央の略板状の基部と、該基部の長手方向に沿う両側部から外方に延設された翼部とを備え、上記両翼部の上面に、それぞれ上記熨斗瓦を螺着固定するための該熨斗瓦数に対応する固定面を形成したことを特徴とするものである。
本発明に係る熨斗下地材の好ましい実施形態においては、上記両翼部に、複数段に熨斗瓦を固定するための複数の固定面が、外側が低くなる階段状に形成される。
また、本発明に係る熨斗下地材の他の好ましい実施形態においては、上記翼部における熨斗瓦の固定面の内側に、該熨斗瓦における上記熨斗下地材に螺着固定する縁辺に形成した係合突条を係合させる凹溝が形成される。
【０００６】
一方、本発明に係る熨斗下地材を用いた棟構造は、棟部の中央に沿って棟金具により架設され、上記熨斗下地材の基部を載置固定するための棟垂木；上記棟垂木と熨斗下地材との間に介装され、棟部に近接して列設された桟瓦の上面に先端を接着したアルミニウム箔により部分補強された通気性ある不織布シート；上記熨斗下地材の固定面に螺着固定された少なくとも一対の熨斗瓦；最上層の熨斗瓦上に載架固定された冠瓦；を備えることを特徴としている。
本発明に係る上記熨斗下地材を用いた棟構造の好ましい実施形態においては、熨斗下地材上に第２の棟垂木を配設固定し、この第２の棟垂木上に最上層の熨斗瓦を固定し、その上に冠瓦が載架固定される。
【発明の効果】
【０００７】
以上に詳述した本発明に係る熨斗下地材及びそれを用いた棟構造によれば、上記熨斗下地材を発泡性の合成樹脂からなる長尺材で形成しているので、棟構造における熨斗瓦を固定するための構成の軽量化を図ることができるうえに、その施工を熟練を要することなく容易に且つ安価に行うことができ、しかも、上記熨斗瓦の固定にあたって、該熨斗瓦を熨斗下地材に螺着固定しているので、大きな地震などが発生したときに該熨斗瓦が熨斗下地材から脱落することがなく、十分な耐震性を確保することができる。
【０００８】
また、上記熨斗下地材を用いた棟構造において、上記棟垂木と熨斗下地材との間に補強シートにより部分補強された通気性ある不織布シートを介装することにより、棟部の内部への雨水等の浸入を良好に抑止しながらも、該棟部内部との通気性を確保し、延いては、建築物の居住性を向上させることができると同時に、該建築物の耐用年数を向上させることができる。
【発明を実施するための最良の形態】
【０００９】
以下に、本発明に係る熨斗下地材及び該熨斗下地材を用いた棟構造を実施するための最良の形態を、図面に基づいて詳細に説明するに、図１は本発明に係る熨斗下地材の実施例を示し、図２はこの熨斗下地材を用いた棟構造の実施例を示している。
本実施例に係る熨斗下地材２は、図２からわかるように、主として２つの屋根面が相交わる棟部４に列設された桟瓦６上に、三対の熨斗瓦８を配置することができるように構成したもので、図１に示すように、棟構造の躯体を構成する第１の棟垂木１０への釘または螺子による固定に供する中央の断面略矩形の板状の基部２Ａと、該基部２Ａの長手方向に沿う両側部から外方に延設された一対の翼部２Ｂとを、発泡合成樹脂で一体的に成形することにより、断面形状が一定の長尺材として形成されている。上記合成樹脂としては、ポリエチレン、ポリプロピレン、ポリスチレン、ポリウレタン、ポリカーボネート、あるいはフェノール樹脂等を用いることができ、その発泡倍率は釘打ちやねじによる螺着に適した１．２〜３．０倍程度にすることが望まれる。なお、上記熨斗下地材２は、上述した三対の熨斗瓦８を配置する場合に限定されず、上記棟構造の構成に応じて、熨斗瓦を一対または二対配置するものとしてもよい。
【００１０】
上記基部２Ａの上面には、その長手方向に沿う中央に溝部２ａが形成されており、図２に示すように、必要に応じて第２の棟垂木１２を配置固定することができるようにしている。この場合、該熨斗下地材２における溝部２ａの両溝壁２ｂと上記第２の棟垂木１２の両側面１２ａとの間には、図２に示すように、上記熨斗下地材２における後述する翼部２Ｂの上面に形成した凹溝２ｄと略同等の幅及び深さを有する凹溝２ｅがそれぞれ形成されるようにしているので、該凹溝２ｅに上記熨斗瓦８の係合突条８ａを係合させることができる。なお、該基部２Ａの溝壁２ｂには、上記溝部２ａに第２の棟垂木１２を配置固定しない場合においても、必要に応じて上記熨斗瓦８の係合突条８ａを係合させることができる。
一方、上記両翼部２Ｂの上面には、それぞれ上記熨斗瓦８を螺着固定するための熨斗瓦数に対応する数の固定面２ｃを設け、該固定面２ｃの内側に偏位した部位には、上記熨斗瓦８に形成した係合突条８ａを係合させる凹溝２ｄを形成している。
【００１１】
上記熨斗下地材２は、上述のように、上記基部２Ａ及び翼部２Ｂを発泡性の合成樹脂で一体的に成形することによって断面形状が一定の長尺材として形成しているので、棟構造における上記熨斗瓦８を固定するための構成を軽量化することができる。
【００１２】
次に、上記熨斗下地材２を用いた棟構造について、その施工手順に従いながら説明する。
先ず、上記棟部４の中央に沿って所要の数量の棟金具１４を設置して、該棟金具１４により、上記熨斗下地材２の基部２Ａを載置固定するための第１の棟垂木１０を、上記棟部４に対して水平且つ平行に架設する。該棟金具１４は、上記棟部４に螺挿される支持軸１４ａと、その上部の断面略Ｕ字状に形成された第１の棟垂木１０の収容部１４ｂとで構成されており、上記第１の棟垂木１０は、上記棟金具１４の収容部１４ｂ側面に設けた孔から釘着または螺着されることによって、該棟金具１４に対して架設固定される。
【００１３】
次に、上記第１の棟垂木１０の上面に、アルミニウム箔や合成樹脂等の補強シートにより部分補強された通気性ある不織布シート１６を被着するとともに、該不織布シート１６の先端を、上記棟部４に近接して列設された桟瓦６の上面にブチル系の粘着剤で接着する。この不織布シート１６は、従来から棟構造において一般的に用いられていた面戸としての機能を有するものであり、上記棟部４の内部への雨水等の浸入を抑止することができ、しかも該棟部４の内部と外部との通気性を確保することができる。なお、この不織布シート１６の先端を桟瓦６に接着するための手段は、上述したブチル系の粘着剤に限定されるものではなく、適宜の材質及び形態の接着手段を適用することができる。また、該不織布シート１６は、その位置決めのために、上記第１の棟垂木１０に対して適宜の接着手段によって接着固定してもよい。
【００１４】
そして、この不織布シート１６を被着した上記第１の棟垂木１０に対して、上記熨斗下地材２を釘着または螺着によって固定する。このようにして、上記棟垂木１０と熨斗下地材２との間に上記不織布シート１６を介装するという容易な手段により、従来の棟構造において用いられていた面戸に相当する部材を設ける必要なしに、上記棟部４への雨水等の浸入を抑止することができるうえに、該棟部４の通気性を確保することができる。
【００１５】
次に、上記熨斗下地材２の溝部２ａのほぼ中央に、最上層の熨斗瓦８を螺着固定するための第２の棟垂木１２を、釘着または螺着によって配設固定する。このとき、該熨斗下地材２における溝部２ａの両溝壁２ｂと上記第２の棟垂木１２の両側面１２ａとの間には、図２に示すように、上記熨斗下地材２における翼部２Ｂの先端上面に形成した固定面２ｃの内側の凹溝２ｄと略同等の幅及び深さを有する凹溝２ｅがそれぞれ形成される。したがって、該凹溝２ｅに、上記熨斗瓦８における熨斗下地材２に螺着固定する縁辺に形成した係合突条８ａを係合させることができる。
【００１６】
そして、上述のようにして棟部４に固定配置された熨斗下地材２及び第２の棟垂木１２に対して熨斗瓦８を固定する。
具体的には、先ず、最下層の熨斗瓦８を、上記熨斗下地材２における翼部２Ｂの凹溝２ｄに上記熨斗瓦８の係合突条８ａを係合させるとともに、該熨斗瓦８における係合突条８ａの内側に設けた螺子穴８ｂを通して、上記熨斗下地材２の翼部２Ｂに対して螺子１８で螺着することにより、該熨斗瓦８を熨斗下地材２に螺着固定する。このようにして、熨斗瓦８を熨斗下地材２上に載置するとともに、該熨斗瓦８の係合突条８ａを熨斗下地材２の凹溝２ｄに係合させて、熨斗瓦８を螺子１８で螺着固定すると、該係合により熨斗瓦８が安定的に位置決めされるので、熨斗瓦８の固定作業が容易であるばかりでなく、本来の固定位置に正確に固定することができる。
【００１７】
次に、二段目の熨斗瓦８の係合突条８ａを、上記熨斗下地材２における溝部２ａの両溝壁２ｂと上記第２の棟垂木１２の両側面１２ａとの間に形成された凹溝２ｅに係合させるとともに、該熨斗瓦８の螺子穴８ｂを通して上記熨斗下地材２の基部２Ａに対して螺子１８で螺着することにより、該熨斗瓦８を熨斗下地材２に螺着固定する。
最上層の熨斗瓦８は、一対の該熨斗瓦８の係合突条８ａを上記第２の棟垂木１２上に載置して、それらの縁辺をほぼ衝合させた状態で、該熨斗瓦８の螺子穴８ｂを通して上記第２の棟垂木１２に対して螺子１８で螺着することにより、該熨斗瓦８を第２の棟垂木１２に螺着固定する。
【００１８】
そして、上記熨斗下地材２及び第２の棟垂木１２に螺着固定された三対の熨斗瓦８の最上層の熨斗瓦８上に冠瓦２０を載架固定する。なお、特に図示はしていないが、該冠瓦２０の固定は、そのほぼ中央に設けた穴から上記第２の棟垂木１２に対して、釘着または螺着することにより、あるいは上記熨斗瓦８に対して適宜の接着手段を用いることにより行うことができる。
【００１９】
上記構成を有する熨斗下地材２及びそれを用いた棟構造によれば、上記熨斗下地材２を発泡性の合成樹脂からなる長尺材で形成しているので、棟構造における熨斗瓦８を固定するための構成の軽量化を図ることができるうえに、その施工を熟練を要することなく容易に且つ安価に行うことができる。しかも、上記熨斗瓦８の固定にあたって、該熨斗瓦８を熨斗下地材２に螺子１８で螺着固定しているので、大きな地震が発生したときに、該熨斗瓦８が熨斗下地材２から脱落することがなく、十分な耐震性を確保することができる。
【００２０】
また、上記熨斗下地材２を用いた棟構造においては、上記第１の棟垂木１０と熨斗下地材２との間に、アルミニウム箔等により部分補強された通気性ある不織布シート１６を介装しているので、上記棟部４の内部への雨水等の浸入を良好に抑止しながらも、該棟部４内部との通気性を確保し、延いては、建築物の居住性を向上させることができると同時に、該建築物の耐用年数を向上させることができる。
【００２１】
なお、上述した実施例においては、上記熨斗下地材２を、第１の棟垂木１０への固定に供する中央の基部２Ａの長手方向に沿う両側部に、一対の翼部２Ｂを延設することにより、該熨斗下地材２に二対の熨斗瓦８を、またはその上の第２の棟垂木１２に一対の熨斗瓦８を配置可能なものとして構成した場合について説明したが、そのように構成したものに限定されず、該熨斗下地材の基部２Ａの両側に延設した翼部２Ｂを、それぞれ外側が低くなる所望の段数の階段状に形成して、上記熨斗瓦８を固定するための複数の固定面２ｃを形成することにより、該熨斗下地材に対して、所望の段数からなる複数対の熨斗瓦８を固定可能に構成することができる。
【図面の簡単な説明】
【００２２】
【図１】本発明の第１実施例に係る熨斗下地材を示す斜視図である。
【図２】同熨斗下地材を用いた棟構造を示す建築物の棟部の部分断面図である。
【符号の説明】
【００２３】
２    熨斗下地材
２Ａ  基部
２Ｂ  翼部
２ｃ  固定面
２ｄ  凹溝
４    棟部
６    桟瓦
８    熨斗瓦
８ａ  係合突条
１０    第１の棟垂木
１２    第２の棟垂木
１４    棟金具
１６    不織布シート
１８    螺子
２０    冠瓦
【図１】
2008156896.tif 000003
【図２】
2008156896.tif 000004